(57)【要約】【課題】編目が詰んでしっかりした２Ｘ２リブ組織で形成される筒状編地の編成方法を提供することを目的とする。【解決手段】前後針床の各６針の計１２針からなる針群を基本ユニットとし、一方の針床で第１針〜３針と第６針に、他方の針床で第１針と第４〜６針に編目を係止させた基本パターンにおいて、一方の針床より第２針と３針の編針に係止する編目を他方に目移しし、一方の針床の第１針と６針と他方の針床の第２針と３針の編針に給糸して編目を形成し、続けて他方の針床の第２針と３針の編針に係止する編目を一方の針床の第２針と３針の編針に目移しする工程と、他方の針床より第４針と５針の編針に係止する編目を一方の針床に目移しを行い、他方の針床の第１針と６針と一方の針床の第４針と５針の編針に給糸して編目を形成し、続けて一方の針床の第４針と５針の編針に係止する編目を他方の針床の第４針と５針の編針に目移しする工程とを交互に繰り返す。【選択図】図１
2010156087.tif 000002
【特許請求の範囲】
【請求項１】
前後一対の針床を有し、前後の針床間で編目の目移しとラッキングが可能な横編機を用い、２Ｘ２リブ組織で形成される筒状編地の編成方法であって、
前後針床の各６針の計１２針からなる針群を基本ユニットとして割り当て、
一方の針床で第１針〜３針と第６針に編目を係止させ、他方の針床で第１針と第４〜６針に編目を係止させた基本パターンにおいて、
一方の針床より第２針と３針の編針に係止する編目を他方の針床に目移しを行い、一方の針床の第１針と６針と他方の針床の第２針と３針の編針に編糸を給糸して編目を形成し、続けて他方の針床の第２針と３針の編針に係止する編目を一方の針床の第２針と３針の編針に目移しする工程と、
他方の針床より第４針と５針の編針に係止する編目を一方の針床に目移しを行い、他方の針床の第１針と６針と一方の針床の第４針と５針の編針に編糸を給糸して編目を形成し、続けて一方の針床の第４針と５針の編針に係止する編目を他方の針床の第４針と５針の編針に目移しする工程とを交互に繰り返すことを特徴とする２Ｘ２リブ組織で形成される筒状編地の編成方法。
【請求項２】
前記編糸を給糸して編成を行う工程において、編成前後の目移しは前後の針床がずれていない位置で行い、編成時には後の針床が前の針床に対して右側に針２本分ずれた位置で行うことを特徴とする請求項１に記載の２Ｘ２リブ組織で形成される筒状編地の編成方法。
【発明の詳細な説明】
【技術分野】
【０００１】
本発明は、表目と裏目が２目置きに並ぶ２Ｘ２リブ組織で形成される筒状編地の編成方法である。
【背景技術】
【０００２】
前後一対の針床を有して前後の針床間で編目の目移しが可能な横編機を用いて筒状編地を編成する際に、リンクス柄や１Ｘ１リブ編地等の表目と裏目を含む組織の編成可能な方法が文献１に記載されている。従来、無縫製のセーターを編む場合など、裾にリブ組織を形成する場合が多い。特に最近ではリブ組織として伸縮度が高い１Ｘ１リブではなく、デザイン的な理由も含め、２Ｘ２リブの使用が多くなってきている。２Ｘ２リブの編成を文献１に記載の技術を適応して編成したものを図３に示す。前後編地は、全て対向する針床への目移しが可能となるように空針を備えて１本置きの編目からなる筒状編地となっており、編成された編目は大きくなり詰んでいない。基本ユニットとしては、前後の編針各８針の１６針（編針ａ〜ｈ，Ａ〜Ｈ）となっている。リブ部分の編目が詰んでしっかりした２Ｘ２リブが要望されている。
【０００３】
【特許文献１】特公平３−７５６５６ 号公報
【発明の開示】
【発明が解決しようとする課題】
【０００４】
本発明では、編目が詰んでしっかりした２Ｘ２リブ組織で形成される筒状編地の編成方法を提供することを目的とする。
【課題を解決するための手段】
【０００５】
本発明の２Ｘ２リブ組織で形成される筒状編地の編成方法は、前後針床の各６針の計１２針からなる針群を基本ユニットとして割り当て、
一方の針床で第１針〜３針と第６針に編目を係止させ、他方の針床で第１針と第４〜６針に編目を係止させた基本パターンにおいて、
一方の針床より第２針と３針の編針に係止する編目を他方の針床に目移しを行い、一方の針床の第１針と６針と他方の針床の第２針と３針の編針に編糸を給糸して編目を形成し、続けて他方の針床の第２針と３針の編針に係止する編目を一方の針床の第２針と３針の編針に目移しする工程と、
他方の針床より第４針と５針の編針に係止する編目を一方の針床に目移しを行い、他方の針床の第１針と６針と一方の針床の第４針と５針の編針に編糸を給糸して編目を形成し、続けて一方の針床の第４針と５針の編針に係止する編目を他方の針床の第４針と５針の編針に目移しする工程とを交互に繰り返すことを特徴とする。
【０００６】
また、本発明の２Ｘ２リブ組織で形成される筒状編地の編成方法は、前記編糸を給糸して編成を行う工程において、編成前後の目移しは前後の針床がずれていない位置で行い、編成時には後の針床が前の針床に対して右側に針２本分ずれた位置で行うことを特徴とする。
【発明の効果】
【０００７】
本発明の２Ｘ２リブ組織で形成される筒状編地の編成方法によれば、前後の各編地を形成する際に、表面に現れる編目を隣り合う編針で形成でき、間に空針を備えて形成した編目に比べ、より詰んだ編目を形成できる。
【０００８】
また、本発明の２Ｘ２リブ組織で形成される筒状編地の編成方法によれば、編成時に後の針床が前の針床に対して右側に針２本分ずれた位置で行うことで、その前後に行われる目移し（左側に針２本分ずれた位置）から編糸が動き、左右均等の渡り糸が形成されて見栄えが良い。
【発明を実施するための最良の形態】
【０００９】
以下、本発明の好適な実施例としてセーターの裾にこの編成方法を適用した場合を説明する。この実施例では、左右方向に延び、かつ、前後方向に互いに対向する前後一対の針床を有し、前後の針床間で編目の目移しとラッキングが可能な２枚ベッドの横編機を用いて説明する。以降、この横編機に備わる前針床をＦＢ、後針床をＢＢとする。
【００１０】
上述した横編機を使用して編成するセーターの裾部分に適応する内容を図１の編成工程図を用いて説明する。図２は、筒状に編成される２Ｘ２リブ組織を示し、基本型Ｆ／Ｂの針立てと前後編地の編成時の各針立てとを示す。なお、図１、図２では、説明の便宜上、編針の数を実際の編成に使用する数よりも少なくしている。
【００１１】
図１〜図３において小文字アルファベットで示す編針に係止される編目はセーターの前身頃Ｆの編目の一部であり、大文字アルファベットで示す編針に係止される編目は後身頃Ｂの編目の一部である。
【００１２】
図１では、図面左のＳは工程を示し、図中の黒三角は給糸口を、太線は新たな編目と渡り糸を示し、細線は係止する旧編目、矢印は編目の移動（目移し）を示す。また図面右の矢印は編成時の給糸口の移動方向を示している。Ｓ１では、前後針床の編針ａ〜ｆと編針Ａ〜Ｆの１２針を基本ユニット１としているが、その基本ユニット１の繰り返しで編針ｌ，Ｌまで繋がっている。セーターの裾部分を筒状に編出した後に、Ｓ１になるように編目の移動が行われるが、ここではその移動の工程を省略する。
【００１３】
Ｓ２では、前針床ＦＢの編針ｂ，ｃ，ｈ，ｉに係止する編目を後針床ＢＢの編針Ｂ，Ｃ，Ｈ，Ｉに目移しを行う。この場合、後針床ＢＢに移した編目とその編目に繋がる前針床ＦＢ間の編目との渡り糸は、左側に針２本分シフトしたような状態となる。Ｓ３では、後針床ＢＢを右に針２本分ラッキングを行い、紙面左方向の向きに給糸口を移動して、ＦＢとＢＢの編針l，Ｉ，Ｈ，ｇ，ｆ，Ｃ，Ｂ，ａに給糸してニット編成を行う。この場合、形成される裏目２，３は右に２針分寄った状態で編成され、渡り糸３０は渡り糸３１に対し長くなる。
【００１４】
Ｓ４では、後針床ＢＢを左方向に振り戻し、Ｓ２と同じ位置関係で後針床ＢＢの編針Ｂ，Ｃ，Ｈ，Ｉに係止する編目を前針床ＦＢの編針ｂ，ｃ，ｈ，ｉに目移しする。Ｓ２〜Ｓ４の工程にて、前針床ＦＢに係止する前編地に対し２Ｘ２リブ組織が形成される。Ｓ５では、後針床ＢＢの編針Ｄ，Ｅ，Ｊ，Ｋに係止する編目を前針床ＦＢの編針ｄ，ｅ，ｊ，ｋに目移しする。
【００１５】
Ｓ６では、後針床ＢＢを右に針２本分ラッキングを行い、紙面右方向の向きに給糸口を移動して、前後の針床ＦＢとＢＢの編針Ａ，ｄ，ｅ，Ｆ，Ｇに給糸してニット編成を行う。この場合、後編地の編成となるが、裏目４，５を左に２針分寄った状態で編成される。Ｓ７では、後針床ＢＢを左方向に振り戻し、前針床ＦＢの編針ｄ，ｅ，ｊ，ｋに係止する編目を後針床ＢＢの編針Ｄ，Ｅ，Ｊ，Ｋに目移しを行い、２Ｘ２リブ組織で形成される筒状編地の１編成コースが完了する。Ｓ２〜Ｓ７の編成を所望するリブ丈になるように繰り返せばよい。
【００１６】
図２は、本発明での針立てを示す。編針Ａ，ａなどの裏目を必要としない編目は対向する編針に空針を準備せず、編針を詰めた位置としており、前後の編針各６針の１２針（編針ａ〜ｆ，Ａ〜Ｆ）を基本ユニット１として編目間に空針を出来るだけ置かないようにしており、渡り糸が短くでき、詰んだ編目の形成が可能となっている。
【００１７】
なお、図１では編目の編成を行う際、Ｓ３，Ｓ６では右に針２本分ラッキングするようにしているが、これに代えて右に針１本分のラッキングとしても良い。但し、右に針２本分としたほうが高品質の編地を得ることができる。
【００１８】
また、所望する丈の２Ｘ２リブ組織を形成後、今回は工程を示していないが、図３に示すような針立てに戻し、２Ｘ２リブ組織の裾に続く編地を編成すればよい。各編針に対し自由に裏目の形成が可能となる。
【図面の簡単な説明】
【００１９】
【図１】実施例に記載される編地の２Ｘ２リブ組織で形成される筒状編地の編成工程図である。
【図２】針床に係止する編目の位置を示す図である。
【図３】文献１に記載の技術を適応して形成する２Ｘ２リブ組織の編目の位置を示す図である。
【符号の説明】
【００２０】
１  基本ユニット  
２，３，４，５  裏目
３０，３１  渡り糸
【図１】
2010156087.tif 000003
【図２】
2010156087.tif 000004
【図３】
2010156087.tif 000005